(57)【要約】      （修正有）【課題】商品内容補助表示部材を容易に、従来からある商品内容表示部材に装着することができる商品内容補助表示部材装着具を提供する。【解決手段】商品内容を表示する商品内容表示部３１０と該商品内容表示部を支持する柱状の支持部３３０を備えた商品内容表示部材３００に、前記商品内容表示部３１０の他に補助的に商品内容を表示する商品内容補助表示部材を装着させる商品内容補助表示部材装着具１００であって、前記商品内容補助表示部材１００を表面側で支持する装着具本体１１０と、該装着具本体の裏面側に形成され、その弾性力によって前記支持部３３０を挟持する少なくとも一対の挟持片１２０Ａ、１２０Ｂと、を備え、前記少なくとも一対の挟持片の各片は、前記支持部３３０の軸方向において異なる位置に設けられていることを特徴とする商品内容補助表示部材装着具１００である。【選択図】図５
0003139117.tif 000002
【実用新案登録請求の範囲】
【請求項１】
商品内容を表示する商品内容表示部と該商品内容表示部を支持する柱状の支持部を備えた商品内容表示部材に、前記商品内容表示部の他に補助的に商品内容を表示する商品内容補助表示部材を装着させる商品内容補助表示部材装着具であって、
前記商品内容補助表示部材を表面側で支持する装着具本体と、
該装着具本体の裏面側に形成され、その弾性力によって前記支持部を挟持する少なくとも一対の挟持片と、を備え、
前記少なくとも一対の挟持片の各片は、前記支持部の軸方向において異なる位置に設けられていることを特徴とする商品内容補助表示部材装着具。
【請求項２】
前記少なくとも一対の挟持片の各片は、前記支持部の上方から左右交互に設けられていることを特徴とする請求項１記載の商品内容補助表示部材装着具。
【考案の詳細な説明】
【技術分野】
【０００１】
本考案は、商品内容補助表示部材を容易に、従来からある商品内容表示部材に装着することができる商品内容補助表示部材装着具に関するものである。
【背景技術】
【０００２】
従来から、スーパーマーケットやデパートなどの量販店において、陳列されている商品についての商品内容を表示するものとして、図６に示す商品内容表示部材などがある（特許文献１参照）。近年、消費者の多様化から量販店においても様々な商品に関する情報を提供する必要が生じているため、包括的な商品内容の他に個別商品の品質や産地などの補助的な商品情報を表示することが求められており、商品陳列棚に商品内容表示部材の他に商品内容補助表示部材が展示されている。
【特許文献１】特開平９−２３８７９２号公報
【考案の開示】
【考案が解決しようとする課題】
【０００３】
しかしながら、商品内容表示部材の他に商品内容補助表示部材を展示すると、商品陳列棚のスペースが限られていることから、煩雑に陳列された印象を与えてしまうという問題がある。一方、これらを結合させて一体にすることも考えられるが、量販店は、既存の商品内容表示具を再利用できず破棄することになり、環境の観点から好ましくない。さらに、このような商品内容補助表示は、商品内容表示部材の表面側だけでなく、裏面側からも表示されることが望まれている。
【０００４】
そこで、本考案は、従来からある商品内容表示部材の表裏の両面に商品内容補助表示部材を容易に装着可能とする商品内容補助表示部材装着具を提供することを目的とする。
【課題を解決するための手段】
【０００５】
上記の目的を達成するため、本考案に係る商品内容補助表示部材装着具は、商品内容を表示する商品内容表示部と該商品内容表示部を支持する柱状の支持部を備えた商品内容表示部材に、前記商品内容表示部の他に補助的に商品内容を表示する商品内容補助表示部材を装着させる商品内容補助表示部材装着具であって、前記商品内容補助表示部材を表面側で支持する装着具本体と、該装着具本体の裏面側に形成され、その弾性力によって前記支持部を挟持する少なくとも一対の挟持片と、を備え、前記少なくとも一対の挟持片の各片は、前記支持部の軸方向において異なる位置に設けられていることを特徴とする。
【０００６】
以上のように、本考案に係る商品内容補助表示部材装着具によれば、挟持片の各片が、商品内容表示部材の支持部の軸方向において異なる位置に設けられているので、挟持片の各片は互いに重なることがなく、一の商品内容補助表示部材装着具を商品内容表示部材の支持部に装着し、他の商品内容補助表示部材装着具を商品内容表示部材の支持部の同一箇所の反対側に装着することができる。
【０００７】
本考案においては、前記少なくとも一対の挟持片の各片は、前記支持部の上方から左右交互に設けられていることが好ましい。また、本考案において、少なくとも一対の挟持片とは、挟持片を構成する各片が商品内容表示部材の支持部を挟持可能に二以上設けられていれば、必ずしも偶数個である必要はなく、奇数個であっても良い。
【考案の効果】
【０００８】
以上のように、本考案によれば、従来からある商品内容表示部材の表裏の両面に商品内容補助表示部材を容易に装着可能とする商品内容補助表示部材装着具を提供することができる。
【考案を実施するための最良の形態】
【０００９】
次に、本考案に係る商品内容補助表示部材装着具の実施例を図面に基づいて説明する。図１は、本実施例に係る商品内容補助表示部材装着具１００が商品内容表示部材３００に装着された状態を表す斜視図、図２は、商品内容補助表示部材装着具１００の背面図、図３は、商品内容補助表示部材装着具１００の底面図、図４は、商品内容補助表示部材装着具１００が商品内容表示部材３００の支柱３３０に装着された状態を示す右側面図、図５は、商品内容補助表示部材装着具１００が商品内容表示部材３００に装着される状態を表す斜視図である。
【００１０】
本実施例に係る商品内容補助表示部材装着具１００は、板状に形成された装着具本体１１０と、装着具本体１１０の裏面側に形成され、その弾性力によって支持部を挟持する二対の挟持片１２０Ａ、１２０Ｂ、１３０Ａ、１３０Ｂを備えており、これら装着具本体１１０及び各挟持片１２０Ａ、１２０Ｂ、１３０Ａ、１３０Ｂは、例えばポリカーボネートなどの合成樹脂により一体成型されている。
【００１１】
本実施例に係る商品内容補助表示部材装着具１００は、図１に示されるように、その裏面側が、商品内容を表示する商品内容表示部３１０と商品内容表示部３１０を結合部３１４を介して支持する柱状の支持部３３０を備えた商品内容表示部材３００に装着され、表面側に商品内容補助表示部材２００を支持することができる。
【００１２】
商品内容補助表示部材装着具１００において、板状に形成された装着具本体１１０は、図２に示されるように、矩形状に形成された本体中心部１１２と、本体中心部１１２の上部両端から上方に延在する本体上部１１６Ａ、１１６Ｂと、本体中心部１１２の下部中心から下方に延在する本体下部１１４と、を備え、これらにより概ねＹ字状を形成している。本体上部１１６Ａ、本体上部１１６Ｂの間隔Ｌ１は、商品内容表示部材３００の結合部３１４の直径Ｒ２（図４参照）よりも広くなっている。
【００１３】
各挟持片１２０Ａ、１２０Ｂ、１３０Ａ、１３０Ｂは、図２に示すように、互いに、装着具本体の軸方向中心線Ｃを中心として対称となる位置に設けられている、すなわち各挟持片は、中心線Ｃに対して左右それぞれに平行に整列されているが、装着する支持部３３０の軸方向において、異なる位置に設けられている。すなわち、上方から、挟持片１２０Ａが中心線Ｃに対して左側に、挟持片１２０Ｂが中心線Ｃに対して右側で、かつ挟持片１２０Ａよりも下方に、挟持片１３０Ａが中心線Ｃに対して左側で、かつ挟持片１２０Ｂよりも下方に、挟持片１３０Ｂが中心線Ｃに対して右側で、かつ挟持片１３０Ａよりも下方に配置されている。このように各挟持片１２０Ａ、１２０Ｂ、１３０Ａ、１３０Ｂを互い違いに設けることによって、図１に示すように、商品内容表示部材３００の支持部３３０の同一箇所に表と裏両面側から装着しても、重なることはなく、表裏の両側から商品内容補助表示をすることができる。
【００１４】
また、各挟持片１２０Ａ、１２０Ｂ、１３０Ａ、１３０Ｂは、対となる挟持片により概ね円形の空間３０１が形成されるように、円弧部１２１Ａ、１２１Ｂ、１３１Ａ、１３１Ｂが形成されており、この円形の空間３０１の直径Ｒは、円柱状の支持部３３０の直径Ｒ１（図４参照）よりもわずかに短くなっている。このため、支持部３３０が空間３０１に挿入されると、各挟持片１２０Ａ、１２０Ｂ、１３０Ａ、１３０Ｂの弾性力により、支持部３３０を挟持することができる。
【００１５】
装着具本体１１０の本体上部１１６の裏面側には、図２及び図４に示すように、一対の保持突起１４０Ａ、１４０Ｂが突出しており、本体上部１１６の上端と各保持突起１４０Ａ、１４０Ｂとの間隔Ｌ２は、商品内容表示部材３００の商品内容表示部３１０の枠の幅と同一になるように配置されている。
【００１６】
装着具本体１１０の本体下部１１４及び本体中心部１１２の下端より若干上部分は、装着具本体１１０のその他の部分よりも肉厚に形成されており、その肉厚部分が表面側に突出することにより、段差１１５を形成している。この段差１１５に商品内容表示部３１０の下端が装着されるように構成されている。
【００１７】
商品内容補助表示部材２００としては、様々なものを用いることができるが、例えば、図５に示すように、液晶表示部２１０、及び液晶表示部２１０を支持する支持部材２２０から構成されるものを用いても良い。支持部材２２０は、幅方向に延びる断面コの字のレール状に形成されており、コの字を形成する突出片２２１の突起２２２及び突出片２２３の突起２２４に液晶表示部２１０を係合することによって支持するよう構成されている。液晶表示部２１０は、１個のみ示しているが、複数個設置しても良い。
【００１８】
以上のように、商品内容補助表示部材装着具１００は、各挟持片が、中心線Ｃに対して左右それぞれに平行に整列され、装着する支持部３３０の軸方向において、互いに異なる位置に設けられているので、表裏両側に使用するものが同一形状であっても、各挟持片が互いに重なり合うことはなく、表裏両側から２つの商品内容補助表示部材装着具１００を装着できる。
【図面の簡単な説明】
【００１９】
【図１】本実施例に係る商品内容補助表示部材装着具が商品内容表示部材に装着された状態を表す斜視図である。
【図２】商品内容補助表示部材装着具の背面図である。
【図３】商品内容補助表示部材装着具の底面図である。
【図４】商品内容補助表示部材装着具が商品内容表示部材の支柱に装着された状態を示す右側面図である。
【図５】商品内容補助表示部材装着具が商品内容表示部材に装着される状態を表す斜視図である。
【図６】従来の商品内容表示部材の斜視図である。
【符号の説明】
【００２０】
１００・・・商品内容補助表示部材装着具
１２０Ａ，１２０Ｂ，１３０Ａ，１３０Ｂ・・・挟持片
２００・・・商品内容補助表示部材
３００・・・商品内容表示部材
３１０・・・商品内容表示部
３３０・・・支持部
【図１】
0003139117.tif 000003
【図２】
0003139117.tif 000004
【図３】
0003139117.tif 000005
【図４】
0003139117.tif 000006
【図５】
0003139117.tif 000007
【図６】
0003139117.tif 000008